【手続補正書】
【提出日】平成19年12月3日(2007.12.3)
【手続補正１】
【補正対象書類名】明細書
【補正対象項目名】特許請求の範囲
【補正方法】変更
【補正の内容】
【特許請求の範囲】
【請求項１】  ネットワークに接続された画像処理装置であって、
前記ネットワークに接続された複数の画像出力装置を特定するための表示と、前記画像出力装置の状態の表示を行う表示手段と、
前記表示手段を介して選択された複数の画像出力装置により出力されたテストパターンを読取り、得られた読取りデータに基づき、前記複数の画像出力装置の画像出力条件を制御するキャリブレーション手段と、
を有したことを特徴とする画像処理装置。
【請求項２】  前記選択された画像出力装置にテストパターン画像を出力させ、該テストパターン画像を読取り手段によって読取ることによって得られる前記読取りデータに基づいて、前記画像出力条件を制御することを特徴とする請求項１に記載の画像処理装置。
【請求項３】  前記画像出力装置は、その複数がネットワークに接続され、該複数の画像出力装置のそれぞれについて前記表示手段を介した選択が可能であることを特徴とする請求項１または２に記載の画像処理装置。
【請求項４】  前記複数の画像出力装置に対し、同時に、前記テストパターン画像を出力させることを特徴とする請求項１に記載の画像処理装置。
【請求項５】  前記キャリブレーション手段は、前記テストパターン画像を出力した画像出力装置を識別するための識別記号を当該テストパターン画像とともに出力させること特徴とする請求項１に記載の画像処理装置。
【請求項６】  前記識別記号に応じて画像出力装置を特定し、該特定された画像出力装置の画像出力条件を制御することを特徴とする請求項５に記載の画像処理装置。
【請求項７】  前記複数の画像出力装置から出力されたそれぞれのテストパターン画像を、原稿送給装置を有する読取り手段によって一括して読取らせ、該読取りの際、それぞれのテストパターン画像とともに読取られる前記識別記号に応じて画像出力装置を特定することを特徴とする請求項６に記載の画像処理装置。
【請求項８】  前記テストパターンは、前記画像出力装置による出力により生じる濃度ムラや前記テストパターンを読取る読取り手段の読取り特性ムラを吸収するために同一のパッチパターンを有することを特徴とする請求項１に記載の画像処理装置。
【請求項９】  前記ネットワークに接続されている複数の画像出力装置を検索する検索手段と、
該検索手段によって検索された画像出力装置を識別するための情報を表示する表示手段と、
をさらに有することを特徴とする請求項１に記載の画像処理装置。
【請求項１０】  ネットワークに接続された画像処理装置であって、
前記ネットワークに接続された複数の画像出力装置を特定するための表示と、前記画像出力装置の状態の表示を行う表示手段と、
前記表示手段を介して選択された複数の画像出力装置により出力されたテストパターンを読取り、得られた読取りデータに基づき、前記複数の画像出力装置の画像出力条件を制御するキャリブレーション手段と、
前記テストパターンの出力状況を表示するパターン状況表示手段と、
を有したことを特徴とする画像処理装置。
【請求項１１】  前記パターン状況表示手段は、前記複数の画像出力装置それぞれに対してテストパターンの出力状況を表示することを特徴とする請求項１０に記載の画像処理装置。
【請求項１２】  前記ネットワークに接続されている複数の画像出力装置を検索する検索手段と、
該検索手段によって検索された画像出力装置を識別するための情報を表示する表示手段と、
をさらに有することを特徴とする請求項１０に記載の画像処理装置。
【請求項１３】  ネットワークに接続された画像処理装置における画像処理方法であって、
前記ネットワークに接続された複数の画像出力装置を特定するための表示と、前記画像出力装置の状態の表示を行う表示工程と、
前記表示工程を介して選択された複数の画像出力装置により出力されたテストパターンを読取り、得られた読取りデータに基づき、前記複数の画像出力装置の画像出力条件を制御するキャリブレーション工程と、
を有したことを特徴とする画像処理方法。
【請求項１４】  前記選択された画像出力装置にテストパターン画像を出力させ、該テストパターン画像を読取り手段によって読取ることによって得られる前記読取りデータに基づいて、前記画像出力条件を制御することを特徴とする請求項１３に記載の画像処理方法。
【請求項１５】  前記画像出力装置は、その複数がネットワークに接続され、該複数の画像出力装置のそれぞれについて前記表示工程を介した選択が可能であることを特徴とする請求項１３または１４に記載の画像処理方法。
【請求項１６】  前記複数の画像出力装置に対し、同時に、前記テストパターン画像を出力させることを特徴とする請求項１３に記載の画像処理方法。
【請求項１７】  前記キャリブレーション工程は、前記テストパターン画像を出力した画像出力装置を識別するための識別記号を当該テストパターン画像とともに出力させること特徴とする請求項１３に記載の画像処理方法。
【請求項１８】  前記識別記号に応じて画像出力装置を特定し、該特定された画像出力装置の画像出力条件を制御することを特徴とする請求項１７に記載の画像処理方法。
【請求項１９】  前記複数の画像出力装置から出力されたそれぞれのテストパターン画像を、原稿送給装置を有する読取り工程によって一括して読取らせ、該読取りの際、それぞれのテストパターン画像とともに読取られる前記識別記号に応じて画像出力装置を特定することを特徴とする請求項１８に記載の画像処理方法。
【請求項２０】  前記テストパターンは、前記画像出力装置による出力により生じる濃度ムラや前記テストパターンを読取る読取り手段の読取り特性ムラを吸収するために同一のパッチパターンを有することを特徴とする請求項１３に記載の画像処理方法。
【請求項２１】  前記ネットワークに接続されている複数の画像出力装置を検索する検索工程と、
該検索工程によって検索された画像出力装置を識別するための情報を表示する表示工程と、
をさらに有することを特徴とする請求項１３に記載の画像処理方法。
【請求項２２】  ネットワークに接続された画像処理装置における画像処理方法であって、
前記ネットワークに接続された複数の画像出力装置を特定するための表示と、前記画像出力装置の状態の表示を行う表示工程と、
前記表示工程を介して選択された複数の画像出力装置により出力されたテストパターンを読取り、得られた読取りデータに基づき、前記複数の画像出力装置の画像出力条件を制御するキャリブレーション工程と、
前記テストパターンの出力状況を表示するパターン状況表示工程と、
を有したことを特徴とする画像処理方法。
【請求項２３】  前記パターン状況表示工程は、前記複数の画像出力装置それぞれに対してテストパターンの出力状況を表示することを特徴とする請求項２２に記載の画像処理方法。
【請求項２４】  前記ネットワークに接続されている複数の画像出力装置を検索する検索工程と、
該検索工程によって検索された画像出力装置を識別するための情報を表示する表示工程と、
をさらに有することを特徴とする請求項２２に記載の画像処理方法。
【請求項２５】  コンピュータに読取られることにより、該コンピュータを、ネットワークに接続された画像処理装置として機能させるプログラムであって、該機能は、
前記ネットワークに接続された複数の画像出力装置を特定するための表示と、前記画像出力装置の状態の表示を行う表示手段と、
前記表示手段を介して選択された複数の画像出力装置により出力されたテストパターンを読取り、得られた読取りデータに基づき、前記複数の画像出力装置の画像出力条件を制御するキャリブレーション手段と、
を有したことを特徴とするプログラム。
【請求項２６】  コンピュータに読取られることにより、該コンピュータを、ネットワークに接続された画像処理装置として機能させるプログラムであって、該機能は、
前記ネットワークに接続された複数の画像出力装置を特定するための表示と、前記画像出力装置の状態の表示を行う表示手段と、
前記表示手段を介して選択された複数の画像出力装置により出力されたテストパターンを読取り、得られた読取りデータに基づき、前記複数の画像出力装置の画像出力条件を制御するキャリブレーション手段と、
前記テストパターンの出力状況を表示するパターン状況表示手段と、
を有したことを特徴とするプログラム。